(57)【要約】【課題】履き口部を有する衣類において、前記履き口部の窮屈感を低減することができると共に、外観にひびかないようにでき、かつ、前記衣類の着用時におけるずり下がりも効果的に防止して心地よい着用感を得ることができる衣類を提供する。【解決手段】シングルニットからなる端末編組織を有する履き口部と、前記履き口部に連続するサブバンド部と、前記サブバンド部に連続する本体部を備え、前記サブバンド部の着圧は１０〜１２ｈＰａとし、該サブバンド部の着圧は前記履き口部の着圧および該サブバンド部に連続する領域の本体部の着圧よりも大としている。【選択図】図１
2008038263.tif 000002
【特許請求の範囲】
【請求項１】
シングルニットからなる端末編組織を有する履き口部と、
前記履き口部に連続するサブバンド部と、
前記サブバンド部に連続する本体部を備え、
前記サブバンド部の着圧は１０〜１２ｈＰａとし、該サブバンド部の着圧は前記履き口部の着圧および該サブバンド部に連続する領域の本体部の着圧よりも大としていることを特徴とする衣類。
【請求項２】
前記履き口部が、編み始めの止め編み領域と該止め編み領域に連続するウエルト編み領域とを備えるシングルウエルト、あるいはダブルウエルトである請求項１に記載の衣類。
【請求項３】
前記履き口部の非伸長時における上下縦方向の長さは０．５〜３ｃｍ、前記サブバンド部の非伸長時における上下縦方向の長さは２〜８ｃｍとしている請求項１または請求項２に記載の衣類。
【請求項４】
前記サブバンド部はオールニットのコースを繰り返す編成または、オールニットのコースと、ニットとタックまたはニットとミスからなるコースを繰り返す編成であり、
前記オールニットのコースと、ニットとタックまたはニットとミスからなるコースを繰り返す編成は、１：１タックメッシュ組織、１：１タックストライプ組織、１：１ニットミスメッシュ組織、１：１ニットミスストライプ組織、３：１タックメッシュ組織、３：１タックストライプ組織、３：１ニットミスメッシュ組織、３：１ニットミスストライプ組織のいずれかにより編成されている請求項１乃至請求項３のいずれか１項に記載の衣類。
【請求項５】
前記サブバンド部は、シングルカバリングヤーンと下記の（１）〜（３）のいずれかの編み糸とを用いて編成している請求項１乃至請求項４のいずれか1項に記載の衣類。
（１）前記シングルカバリングヤーンと同じシングルカバリングヤーンあるいは前記シングルカバリングヤーンと繊度の異なるシングルカバリングヤーン
（２）ウーリーナイロン
（３）ダブルカバリングヤーン
【請求項６】
前記履き口部の止め編み領域は、弾性糸に添え糸を添えた編み糸から編成するコースと、非弾性糸に前記添え糸を添えた編み糸から編成するコースを交互に設けた複数のコースとし、前記非弾性糸に前記添え糸を添えた編み糸から編成する２コース目以降の１コース以上をニットのみで編成し、他のコースは１ウエールニットと1ウエールミスを繰り返して編成する一方、
前記止め編み領域に連続するウエルト編み領域では、前記弾性糸を用いて１ウエールニットと1ウエールミスまたは１ウエールニットと1ウエールタックを繰り返して編成するコースと、前記非弾性糸を用いてニットのみで編成するコースを交互に設けている請求項２乃至請求項５のいずれか１項に記載の衣類。
【請求項７】
前記履き口部の止め編み領域の複数のコースは全てのウエールをタックあるいはミスでニットさせずに編成し、かつ、該止め編み領域では太い弾性芯糸を備えたシングルカバリングヤーンからなる第１種編み糸を用いて編成し、該第１種編み糸で止め編み領域に外側へのカールを発生させない編成としている一方、
前記止め編み領域に連続するウエルト編み領域では、前記第１種編み糸で編成したコースと、前記第１種編み糸より伸縮力がない編み糸を用いて編成したコースを組み合わせた編組織としている請求項２乃至請求項５のいずれか1項に記載の衣類。
【請求項８】
前記止め編み領域は５〜９コースとし、各コースは１ウエールタック、２ウエールミスまたは１ウエールタック、３ウエールミスを繰り返して編成する一方、
前記ウエルト編み領域は、１ウエールタックと１〜３ウエールミスを繰り返すコースと、ニットのみからなるコースとからなり、該ニットのみからなるコースを２〜３コース連続した後に前記タックとミスとのコースを１コース介在させて編成し、前記ニットのみからなるコースは、前記第１種編み糸の弾性芯糸より細い弾性芯糸を備えたシングルカバリングヤーンあるいは／およびそれより伸縮力の低い編み糸からなる、第２種編み糸を用いて編成している請求項７に記載の衣類。
【請求項９】
パンティストッキング、タイツ、ショーツ、パンツ、ガードル、ストッキング、スパッツ、ソックスである請求項１乃至請求項８のいずれか1項に記載の衣類。
【発明の詳細な説明】
【技術分野】
【０００１】
本発明は衣類に関するものであり、特に、履き口部を有するボトム下着等の衣類において、履き口部を、薄地でかつ締め付け力が低い端末編組織で編成することにより、履き口部の窮屈感を低減すると共に、外観にひびかないようにでき、前記衣類着用時におけるずり下がりも効果的に防止して心地よい着用感を得ることができるものである。
【背景技術】
【０００２】
パンティストッキングやパンツ等の履き口端末のウエルト部分は、その圧迫感や厚さ、硬さによって窮屈感を感じる場合が多い。また、その厚さが大で身頃地との間に段差が発生するとアウターを通して外観上現出する、いわゆる“ひびく”現象も発生しやすい。
そこで、本出願人は、特開２００４−１２４２９１号公報において、シングルニットからなるシングルウエルトの端末編組織を備えた衣類を提案している。
【０００３】
前記端末編組織は、履き口部の窮屈感やひびくといった問題は解消することができるが、前記端末編組織を履き口部としたボトム下着等の衣類の場合、前記履き口部の締め付け力がソフトであるがゆえに、該衣類着用時にずり下がりが生じてしまうという問題があり、この点についてはさらに改良の余地が残されている。
【０００４】
【特許文献１】特開２００４−１２４２９１号公報
【発明の開示】
【発明が解決しようとする課題】
【０００５】
本発明は前記問題に鑑みてなされたものであり、履き口部を有する衣類において、前記履き口部の窮屈感を低減することができると共に、外観にひびかないようにでき、かつ、前記衣類の着用時におけるずり下がりも効果的に防止して心地よい着用感を得ることができる衣類を提供することを課題としている。
【課題を解決するための手段】
【０００６】
前記課題を解決するため、本発明は、シングルニットからなる端末編組織を有する履き口部と、
前記履き口部に連続するサブバンド部と、
前記サブバンド部に連続する本体部を備え、
前記サブバンド部の着圧は１０〜１２ｈＰａとし、該サブバンド部の着圧は前記履き口部の着圧および該サブバンド部に連続する領域の本体部の着圧よりも大としていることを特徴とする衣類を提供している。
【０００７】
前記のように、本発明の衣類は、シングルニットからなる端末編組織を有する履き口部を備えているので、履き口部を薄地かつ低い締め付け力としやすく、窮屈感を低減し外観にひびかないようにすることができる。
また、前記のように、履き口部に連続して、１０〜１２ｈＰａの着圧を有するサブバンド部を設けることにより、締め付け力がソフトな前記端末編組織を有する履き口部を備えた衣類のずり下がりを効果的に防止することができる。
前記サブバンド部の着圧が１０ｈＰａ未満であると、締め付け力が弱すぎてずり下がりを防止できない場合がある一方、前記サブバンド部の着圧が１２ｈＰａを越えると、締め付け力が強すぎて着用感が悪くなる場合がある。
【０００８】
さらに前記のように、サブバンド部の着圧を、履き口部の着圧およびサブバンド部に連続する本体部の着圧よりも大とすることにより、衣類着用時において身体へ過度な圧迫感を与えることなく、衣類のずり下がりを効果的に防止することができる。特に、前記履き口部の着圧を５〜７ｈＰａ程度とし、前記サブバンド部の着圧の４０〜６０％程度に抑えられていることが、優れた着用感を得るうえで好ましい。
なお、本発明における着圧は、エアパックによる圧力測定装置［(株)エイエムアイ・テクノ製、組込み型圧力センサ「パラソル型エアパック」］を用い、人体に対する衣服圧との換算係数を設定して測定された値である。
【０００９】
また、前記履き口部は、編み始めの止め編み領域と該止め編み領域に連続するウエルト編み領域とを備えるシングルウエルトとしてもよいし、ウエルト部分の編地を折り返して袋状としたダブルウエルトとしてもよい。
さらに、前記履き口部の非伸長時における上下縦方向の長さは０．５〜３ｃｍ、前記サブバンド部の非伸長時における上下縦方向の長さは２〜８ｃｍとしていることが好ましい。
特に、前記のように履き口部をダブルウエルトとする場合には、履き口部の非伸長時における上下縦方向の長さを０．５〜１．０ｃｍ程度の細幅として、締め付け力を弱めたものであることがより好ましい。
【００１０】
前記のように、前記履き口部の非伸長時における上下縦方向の長さ０．５〜３ｃｍに対して、サブバンド部の非伸長時における上下縦方向の長さを２〜８ｃｍとするのが好ましいのは、前記サブバンド部の縦方向の長さが２ｃｍ未満であるとずり下がりを防止するために必要な締め付け力が得られない場合がある一方、前記サブバンド部の縦方向の長さが８ｃｍを越えると締め付け力が強すぎて着用感が悪くなる場合があるためである。より好ましくは、サブバンド部の非伸長時における上下縦方向の長さが３〜５ｃｍである。
【００１１】
前記サブバンド部はオールニットのコースを繰り返す編成または、オールニットのコースと、ニットとタックまたはニットとミス(ニットミス)からなるコースを繰り返す編成であり、
前記オールニットのコースと、ニットとタックまたはニットとミスからなるコースを繰り返す編成は、１：１タックメッシュ組織、１：１タックストライプ組織、１：１ニットミスメッシュ組織、１：１ニットミスストライプ組織、３：１タックメッシュ組織、３：１タックストライプ組織、３：１ニットミスメッシュ組織、３：１ニットミスストライプ組織のいずれかにより編成されていることが好ましい。
しかし、前記着圧が得られるのであれば、サブバンド部の編組織は前記のような組織に限定されず、例えば、２：２タックメッシュ組織、２：２タックストライプ組織としたりすることもできる。
【００１２】
前記サブバンド部は、シングルカバリングヤーンと下記の（１）〜（３）のいずれかの編み糸とを用いて編成していることが好ましい。
（１）前記シングルカバリングヤーンと同じシングルカバリングヤーンあるいは前記シングルカバリングヤーンと繊度の異なるシングルカバリングヤーン
（２）ウーリーナイロン
（３）ダブルカバリングヤーン
【００１３】
前記のように、シングルカバリングヤーンと、前記（１）、（２）、（３）の編み糸を組み合わせて用いてサブバンド部を編成することにより、前記サブバンド部の着圧を調節しやすく、かつ、肌触りもよく優れた着用感を得ることができる。
【００１４】
前記シングルカバリングヤーンとしては、１０デシテックス〜１５０デシテックスのポリウレタン弾性芯糸に１０デシテックス〜１００デシテックスのナイロン糸を一重に巻き付けたシングルカバリングヤーンが好ましい。
また、前記ウーリーナイロンの繊度としては、１５デシテックス〜１５０デシテックスであることが好ましい。
さらに、前記ダブルカバリングヤーンとしては、１０デシテックス〜１５０デシテックスのポリウレタン弾性芯糸に５デシテックス〜５０デシテックスのナイロン糸を二重に巻き付けたダブルカバリングヤーンが好ましい。
【００１５】
前記履き口部の編組織は、使用する編機の種類によっても異なるが、例えば、履き口部をシングルウエルトとした場合において、編み始めの止め編み領域は、弾性糸に添え糸を添えた編み糸から編成するコースと、非弾性糸に前記添え糸を添えた編み糸から編成するコースを交互に設けた複数のコースとし、前記非弾性糸に前記添え糸を添えた編み糸から編成する２コース目以降の１コース以上をニットのみで編成し、他のコースは１ウエールニットと1ウエールミスを繰り返して編成する一方、
前記止め編み領域に連続するウエルト編み領域では、前記弾性糸を用いて１ウエールニットと1ウエールミスまたは１ウエールニットと1ウエールタックを繰り返して編成するコースと、前記非弾性糸を用いてニットのみで編成するコースを交互に設けていることが好ましい。
しかし、前記履き口部の編組織は前記構成に限られず、例えば、前記止め編み領域において、弾性糸および非弾性糸に添える添え糸を必ずしも共通させなくてもよいし、また、前記ウエルト編み領域において添え糸を適宜使用することもできる。
【００１６】
前記のように、編み始めの止め編み領域において、弾性糸および非弾性糸に添え糸を添えた編み糸を用いて編成することにより、編み糸の繊度を増やし伸縮性を高めることができ、外側へ捲くれ上がるカールの発生を抑制できる。
また、非弾性糸に添え糸を添えた編み糸から編成する２コース目以降の１コース以上をニットのみからなるプレーン編組織で編成することで、編立やすく、強度を持たせることができる。
さらに、前記ニットのみからなるコース以外のコースを、１ウエールニットと1ウエールミスを繰り返して編成することにより、適度な伸縮性を保持させることができる。
【００１７】
前記１ウエールニットと1ウエールミスを繰り返して編成することにより、ニット、ミスの組織がストライプ状であっても、メッシュ状であってもどちらでもよいが、編立のしやすさからストライプ状となっていることが好ましい。
また、前記止め編み領域のコース数としては、４コース程度とすることが好ましい。
【００１８】
さらに、前記のように、前記止め編み領域に連続するウエルト編み領域では、前記止め編み領域より伸縮性が低い編み糸を用いているため、前記止め編み領域より締め付け力を低減でき、圧迫感を減少させて着用感を高めることができる。
また、前記弾性糸を用いて１ウエールニットと1ウエールミスまたは１ウエールニットと1ウエールタックを繰り返して編成するコースを設けることにより、表目の張力が高くなりすぎないようしてカールの発生を抑制しながら、適度な締め付け力を保持することができる。
さらに、前記非弾性糸を用いてニットのみからなるプレーン編組織で編成するコースを設けることにより、表目の張力が高まっても、前記ニットのみからなるコースは伸縮力の弱い編み糸で編成されるため、外側へのカールの発生を抑制しながら、適度な締め付け力も保持することができる。
【００１９】
前記弾性糸を用いて１ウエールニットと1ウエールミスまたは1ウエールニットと１ウエールタックを繰り返して編成することにより、ニット、ミスまたはニット、タックの組織がストライプ状であっても、メッシュ状であってもどちらでもよいが、外観上、ストライプ状となっていることが好ましい。
なお、ウエルト編み領域のコース数は、前記止め編み領域のコース数より多くしていることが好ましく、衣類の機能やデザインに応じてコース数を適宜増減してウエルト編み領域の長さを調節することができるが、例えば、１０コース以上、さらには２０〜８０コース程度が好ましい。
【００２０】
前記弾性糸として弾性芯糸を備えたシングルカバリングヤーンを用いると共に、前記非弾性糸としてウーリーナイロンを用い、さらに前記添え糸として前記弾性糸の弾性芯糸より細い弾性芯糸を備えたシングルカバリングヤーンを用いていることが好ましい。
【００２１】
特に、前記弾性糸として、３０デシテックス〜８０デシテックスのポリウレタン弾性芯糸にナイロン糸を巻き付けたシングルカバリングヤーンを用いると共に、前記非弾性糸として、３０デシテックス〜８０デシテックスのウーリーナイロンを用い、さらに前記添え糸として２０デシテックス〜４０デシテックスのポリウレタン弾性芯糸にナイロン糸を巻き付けたシングルカバリングヤーンを用いていることが好ましい。
【００２２】
また、前記履き口部の止め編み領域の編み組織として、各コースを、１ウエールタック、２ウエールミスまたは１ウエールタック、３ウエールミスを繰り返す編成としてもよい。
【００２３】
一方、使用する編機の種類によっては、前記履き口部の編組織を以下のようにすることもできる。
即ち、編み始めの止め編み領域の複数コースは全てのウエールをタックあるいはミスでニットさせずに編成し、かつ、該止め編み領域では太い弾性芯糸を備えたシングルカバリングヤーンからなる第1種編み糸を用いて編成し、該第1種編み糸で止め編み領域に外側へのカールを発生させない編成としている一方、前記止め編み領域に連続するウエルト編み領域では、前記第1種編み糸で編成したコースと、前記第1種編み糸より伸縮力がない編み糸を用いて編成したコースを組み合わせた編組織としている。
【００２４】
前記のように、編み始めの止め編み領域では、どのウエールもニットすることなく複数コースを１つの編み糸で連続して編成しているため、編み糸として太い弾性芯糸を備えた伸縮力の強い第1種編み糸を用いても厚くならずに薄さを保持でき、カール発生を抑制しながら、適度の締め付け力を付与することができる。
【００２５】
一方、前記止め編み領域に連続するウエルト編み領域では、前記第1種編み糸で編成したコースを設けていることで、適度な締め付け力の付与が可能となり、さらに、第1種編み糸のみでなく、該第1種編み糸よりも伸縮力が弱い編み糸で編成したコースと併設することで、止め編み領域よりは低い締め付け力として、身体への圧迫感を減少することができ、より着心地の良いものとしている。
前記ウエルト編み領域のコース数は前記止め編み領域のコース数より多くしていることが好ましい。
【００２６】
具体的には、前記止め編み領域は、５〜９コースとし、各コースは１ウエールタック、２ウエールミスまたは１ウエールタック、３ウエールミスを繰り返して編成している。
前記構成によれば、選針を２本もしくは３本置きとすることで適度な締め付け力を付与できる。
【００２７】
前記ウエルト編み領域は、１ウエールタックと１〜３ウエールミスを繰り返すコースと、ニットのみからなるコースとからなり、該ニットのみからなるコースを２〜３コース連続した後に前記タックとミスとのコースを１コース介在させて編成し、前記タックとミスのコースは前記第１種編み糸を用い、ニットのみからなるコースは、前記第１種編み糸の弾性芯糸より細い弾性芯糸を備えたシングルカバリングヤーンあるいは／およびそれより伸縮力の低い編み糸からなる、第２種編み糸を用いて編成していることが望ましい。
【００２８】
前記のように、ウエルト編み領域は、伸縮力の弱い編み糸で編成したニットのみからなるコースを２〜３コース連続して設けることにより、止め編み領域よりも締め付け力を低減でき、圧迫感を減少させて着心地を高めることができる。また、シングルカバリングヤーンからなる第２種編み糸を用いて編成すると、肌触りを良くすることもできる。
この際、ニットのみからなるプレーン編組織によって表目の張力が高まっても、該ニットのみからなるコースは伸縮力が弱い編み糸で編成するため、外側へのカール発生を効果的に抑制することができると共に適度な締め付け力も保持できる。
なお、ウエルト編み領域のコース数は限定されず、衣類の機能やデザインに応じてコース数を増減してウエルト編み領域の長さを調整しているが、前記止め編み領域のコース数を多くし、例えば、２０コース以上、さらに５０コース以上、１００コース〜３００コースとしてもよい。
【００２９】
前記止め編み領域およびウエルト編み領域に用いる伸縮力の強い第１種編み糸のシングルカバリングヤーンとして、７０デシテックス〜２００デシテックスのポリウレタン弾性芯糸にナイロン糸を巻き付けた糸を用いていることが好ましい。
ポリウレタン弾性芯糸の太さが７０デシテックス未満であると、締め付け力が弱すぎてウエルト部分のカールしようとする力に負けてしまう場合がある。また、２００デシテックスを越えると、止め編み領域とウエルト編み領域とのバランスがとれず、締め付け力が強すぎ、着用感を損ねる場合がある。特に好ましくは、ポリウレタン弾性芯糸の太さが１００デシテックス〜１６０デシテックスである。
【００３０】
前記ウエルト編み領域のニットのみからなるプレーン編組織で用いる第２種編み糸として、下記の（１）〜（３）の編み糸を１種あるいは複数種類を用いている。
（１）１０デシテックス〜４０デシテックスのポリウレタン弾性芯糸にナイロン糸を巻き付けたシングルカバリングヤーン
（２）ウーリーナイロン
（３）その他の複合糸
外観や機能の点から、（１）の編み糸のみ用いる場合、（１）の編み糸に代えて、（２）のウーリーナイロンや（３）を用いる場合がある。
【００３１】
前記（１）のシングルカバリングヤーンにおいて、ポリウレタン弾性芯糸の太さが１０デシテックス未満であると、ニットのみからなるプレーン編組織を形成しても締め付け力が弱すぎて心地よい装着感が得られなくなる場合がある一方、ポリウレタン弾性芯糸の太さが４０デシテックスを越えるともはやパワーの弱い編み糸ではなくなり、締め付け力が強すぎて装着感が悪くなったり、表目の張力が大幅に増大して外側へのカールが発生してしまったりする場合がある。特に好ましくは、ポリウレタン弾性芯糸の太さが１５デシテックス〜２５デシテックスである。
前記（２）のウーリーナイロンを用いると伸びの調整ができると共に、外観と肌触りを向上させることができる。他の糸とのバランス上で１０〜８０デシテックスの太さのものを用いるのが好適である。
前記（３）の複合糸として、キュプラと６６ナイロンとの混紡糸を用いると、キュプラを混紡することで吸・放湿性を高めることができる。該混紡糸の混合割合はキュプラの吸・放湿性を損なわない４０〜９０デシテックスが好適に用いられる。
【００３２】
また、前記履き口部の止め編み領域の編み組織として、前記したような、弾性糸に添え糸を添えた編み糸から編成するコースと、非弾性糸に前記添え糸を添えた編み糸から編成するコースを交互に設けた複数のコースとし、前記非弾性糸に前記添え糸を添えた編み糸から編成する２コース目以降の１コース以上をニットのみで編成し、他のコースは１ウエールニットと1ウエールミスを繰り返して編成してもよい。
【００３３】
本発明は、シングルウエルトまたはダブルウエルトの端末編組織を有する履き口部と、サブバンド部と、本体部とを備えた衣類を提供しており、特に、パンティストッキング、タイツ、ショーツ、パンツ、ガードル、ストッキング、スパッツ、ソックス等が好適である。また、前記履き口部が着用時にウエスト位置にくるものだけでなく、着用時に腰骨位置にくるもの（ローライズタイプ）にも適用することができる。
【発明の効果】
【００３４】
前述したように、本発明によれば、シングルニットからなる端末編組織を有する履き口部を備えているので、履き口部を薄地かつ低い締め付け力としやすく、窮屈感を低減し外観にひびかないようにすることができる。
また、履き口部の下側に、１０〜１２ｈＰａの着圧を有するサブバンド部を設けることにより、締め付け力がソフトな前記端末編組織を有する履き口部を備えた衣類のずり下がりを効果的に防止することができる。さらに前記のように、サブバンド部の着圧を、履き口部の着圧およびサブバンド部に連続する本体部の着圧よりも大とすることにより、衣類着用時において身体へ過度な圧迫感を与えることなく、衣類のずり下がりを効果的に防止することができる。
【００３５】
また、前記のように、前記履き口部の非伸長時における上下縦方向の長さ０．５〜３ｃｍに対して、サブバンド部の非伸長時における上下縦方向の長さを２〜８ｃｍとすることにより、衣類のずり下がりを防止しつつ過度な締め付けも抑制し、着用感を高めることが可能となる。
【００３６】
また、履き口部をシングルウエルトとした場合に、前記のように、編み始めの止め編み領域において、弾性糸および非弾性糸に添え糸を添えた編み糸を用いて編成することにより、編み糸の繊度を増やし伸縮力を高めることができ、外側へ捲くれ上がるカールの発生を抑制できる。
また、非弾性糸に添え糸を添えた編み糸から編成する２コース目以降の１コース以上をニットのみからなるプレーン編組織で編成することで、編立やすく、強度を持たせることができる。さらに、前記ニットのみからなるコース以外のコースを、１ウエールニットと1ウエールミスを繰り返して編成することにより、適度な伸縮性を保持させることができる。
【００３７】
また、前記のように、前記止め編み領域に連続するウエルト編み領域では、前記止め編み領域より伸縮性が低い編み糸を用いているため、前記止め編み領域より締め付け力を低減でき、圧迫感を減少させて着用感を高めることができる。さらに、前記弾性糸を用いて１ウエールニットと1ウエールミスまたは１ウエールニットと1ウエールタックを繰り返して編成するコースを設けることにより、表目の張力が高くなりすぎないようしてカールの発生を抑制しながら、適度な締め付け力を保持することができ、また、前記非弾性糸を用いてニットのみからなるプレーン編組織で編成するコースを設けることにより、表目の張力が高まっても、前記ニットのみからなるコースは伸縮力の弱い編み糸で編成されるため、外側へのカールの発生を抑制しながら、適度な締め付け力も保持することができる。
【発明を実施するための最良の形態】
【００３８】
以下、本発明の実施形態を図面を参照して説明する。
図１は、第１実施形態において、シングルシリンダの４インチの４口丸編機で編成したパンティストッキング１０を示す。図中、上端が編み始め端となり、上端から履き口部１１を構成する止め編み領域１１ａと、ウエルト編み領域１１ｂを設け、さらにその下側にサブバンド部１２、本体部であるパンティ部１３およびレッグ部１４を連続させている。なお、本実施形態のパンティストッキング１０は、履き口部１１が着用時にウエスト位置にくるようにしている。
【００３９】
図２および図３は、履き口部１１の止め編み領域１１ａおよびウエルト編み領域１１ｂの編組織を示し、第１列目の針２０−１から第Ｎ列目の針２０−ｎの下に示す。（○）は針２０に給糸してニットしている場合、（×）は針２０に給糸せずに飛ばしてミスしている場合、（◎）は添え糸を添えた編み糸を給糸してニットしている場合を示す。
【００４０】
編み始めの止め編み領域１１ａにおいては、弾性糸として７８デシテックスのポリウレタン弾性芯糸に３３デシテックスのナイロン糸を巻き付けたシングルカバリングヤーンを用い、非弾性糸として５６デシテックスのウーリーナイロン、添え糸として３３デシテックスのポリウレタン弾性芯糸に３３デシテックスのナイロン糸を巻き付けたシングルカバリングヤーンを用いている。
シングルカバリングヤーンに添え糸のシングルカバリングヤーンを添えた編み糸２１ａを給糸口から連続供給して止め編み領域１１ａの第１コースＣ１と第３コースＣ３の２コースを編成している。また、ウーリーナイロンに添え糸のシングルカバリングヤーンを添えた編み糸２２ａを他の給糸口から連続供給して止め編み領域１１ａの第２コースＣ２と第４コースＣ４の２コースを編成している。本実施形態では、Ｃ１、Ｃ３、Ｃ４の３コースは、１ウエールニット→１ウエールミス→１ウエールニット→１ウエールミスを繰り返し、Ｃ２の１コースだけすべてのウエールでニットしている。
【００４１】
詳細には、第１コースＣ１は、図２および図３に示すように、第１列目の針２０−１にニット◎、第２列目の針２０−２はミス×、第３列目の針２０−３にニット◎、第４列目の針２０−４はミス×というように、１ウエールニット、１ウエールミスをシングルカバリングヤーンに添え糸のシングルカバリングヤーンを添えた編み糸２１ａで繰り返している。第３コースＣ３もＣ１と同様に１ウエール１ニット、１ウエール１ミスを前記編み糸２１ａで繰り返している。
一方、第２コースＣ２は、ウーリーナイロンに添え糸のシングルカバリングヤーンを添えた編み糸２２ａを用いてすべての針２０−１〜２０−ｎにニット◎とし、第４コースＣ４は、前記編み糸２２ａを用いて１ウエールニット、１ウエールミスを繰り返している。
図２、図３に示すように、Ｃ１、Ｃ３、Ｃ４の３コースは１ニット、１ミスを繰り返すことにより、ニット、ミスの組織がストライプ状となっている。
【００４２】
止め編み領域１１ａに連続するウエルト編み領域１１ｂのコースＣ５、Ｃ７、Ｃ９、Ｃ１１、Ｃ１３、Ｃ１５では、前記７８デシテックスのポリウレタン弾性芯糸に３３デシテックスのナイロン糸を巻き付けたシングルカバリングヤーン２１を給糸口から供給して１ウエールニット→１ウエールミス→１ウエールニット→１ウエールミスを繰り返している。
また、ウエルト編み領域１１ｂの他のコースＣ６、Ｃ８、Ｃ１０、Ｃ１２、Ｃ１４、Ｃ１６では、前記５６デシテックスのウーリーナイロン２２を他の給糸口から供給してすべてのウエールでニットしている。
【００４３】
詳細には、図２、図３に示すように、第５コースＣ５では第１列目の針２０−１にニット○、第２列目の針２０−２はミス×、第３列目の針２０−３にニット○、第４列目の針２０−４はミス×というように、１ウエールニット、１ウエールミスをシングルカバリングヤーン２１で繰り返している。
次に、第６コースＣ６では、ウーリーナイロン２２を用いてすべての針２０−１〜２０−ｎにニット○としている。
この後、１ウエールニットと１ウエールミスの第７コースＣ７、ニットのみからなる第８コースＣ８というように、シングルカバリングヤーン２１によるコースとウーリーナイロン２２によるコースを交互に繰り返している。
なお、ウエルト編み領域１１ｂの長さは所要長さとすることができるが、本実施形態においては３０コースとしている。
また、前記のように編成された履き口部１１の非伸長時における縦方向の長さは１．８ｃｍとしている。
【００４４】
図４および図５は、サブバンド部１２の編組織を示し、第１列目の針２０−１から第Ｎ列目の針２０−ｎの下に示す。（○）は針２０に給糸してニットしている場合、（△）は先のコースでニットした針に給糸してタックしている場合を示す。
【００４５】
前記履き口部１１の下側に連続させるサブバンド部１２は、７８デシテックスのポリウレタン弾性芯糸に３３デシテックスのナイロン糸を巻きつけたシングルカバリングヤーン２１と、３３デシテックスのポリウレタン弾性芯糸に３３デシテックスのナイロン糸を巻きつけたシングルカバリングヤーン２３とを用いて、１：１タックメッシュ編組織で編成している。
【００４６】
即ち、図４、５に示すように、サブバンド部１２の第１コースＣ１、第３コースＣ３、第５コースＣ５、第７コースＣ７では、前記シングルカバリングヤーン２１を給糸口から連続供給してすべてのウエールでニットしている。
また、第２コースＣ２、第４コースＣ４、第６コースＣ６、第８コースＣ８では、前記シングルカバリングヤーン２３を他の給糸口から連続供給し、第２コースＣ２は１ウエールニット、１ウエールタックを繰り返し、第４コースＣ４は１ウエールタック、１ウエールニットを繰り返し、第６コースＣ６は１ウエールニット、１ウエールタックを繰り返し、さらに、第８コースＣ８は１ウエールタック、１ウエールニットを繰り返している。
【００４７】
詳細には、図４、図５に示すように、第１コースＣ１では、シングルカバリングヤーン２１を用いてすべての針２０−１〜２０−ｎにニット○としている。
次に、第２コースＣ２では、第１列目の針２０−１にニット○、第２列目の針２０−２はタック△、第３列目の針２０−３にニット○、第４列目の針２０−４はタック△というように、１ウエールニット、１ウエールタックをシングルカバリングヤーン２３で繰り返している。
さらに、第３コースＣ３では、Ｃ１同様シングルカバリングヤーン２１を用いてすべての針２０−１〜２０−ｎにニット○としている。
第４コースＣ４では、第１列目の針２０−１にタック△、第２列目の針２０−２はニット○、第３列目の針２０−３にタック△、第４列目の針２０−４はニット○というように、１ウエールタック、１ウエールニットをシングルカバリングヤーン２３で繰り返している。
この後、ニットのみからなる第５コースＣ５、１ウエールニット、１ウエールタックの第６コースＣ６、ニットのみからなる第７コースＣ７、１ウエールタック、１ウエールニットの第８コースＣ８というパターンを繰り返している。
【００４８】
本実施形態においては、サブバンド部１２の着圧を１０ｈＰａとしている一方、履き口部１１の着圧は５．５ｈＰａとして、サブバンド部１２の着圧を履き口部１１の着圧よりも大としている。また、サブバンド部１２のコース数は２４０コースとし、サブバンド部１２の非伸長時における縦方向の長さを３ｃｍとしている。
続いて、サブバンド部１２の下側に本体部であるパンティ部１３およびレッグ部１４を連続させて本実施形態のパンティストッキング１０を得ている。
【００４９】
前記のように、シングルニットからなるシングルウエルトの端末編組織を有する履き口部１１を備えているので、履き口部１１をソフトで薄くすることができ、窮屈感を低減し外観にひびかないようにすることができる。
また、履き口部１１の下側に、１０ｈＰａの着圧を有するサブバンド部１２を設けることにより、締め付け力がソフトな前記端末編組織を有する履き口部１１を備えたパンティストッキング１０のずり下がりを効果的に防止することができる。
【００５０】
また、前記のように、サブバンド部１２の非伸長時における上下縦方向の長さを３ｃｍとすることにより、パンティストキング１０のずり下がりを防止しつつ過度な締め付けも抑制し、着用感を高めることが可能となる。
【００５１】
また、前記のように、編み始めの止め編み領域１１ａにおいて、弾性糸（シングルカバリングヤーン２１）および非弾性糸（ウーリーナイロン２２）に添え糸（シングルカバリングヤーン）を添えた編み糸２１ａを用いて編成することにより、編み糸の繊度を増やし伸縮力を高めることができ、カールの発生を抑制できる。
また、非弾性糸（ウーリーナイロン２２）に添え糸（シングルカバリングヤーン）を添えた編み糸２２ａから編成する第２コースＣ２の１コースをニットのみからなるプレーン編組織で編成することで、編立やすく、強度を持たせることができる。さらに、前記ニットのみからなる1コース以外のコースＣ１、Ｃ３、Ｃ４を、１ウエールニットと1ウエールミスを繰り返して編成することにより、適度な伸縮性を保持させることができる。
【００５２】
また、前記のように、止め編み領域１１ａに連続するウエルト編み領域１１ｂでは、止め編み領域１１ａより伸縮性が低い編み糸を用いているため、止め編み領域１１ａより締め付け力を低減でき、圧迫感を減少させて着用感を高めることができる。
また、弾性糸（シングルカバリングヤーン２１）を用いて１ウエールニットと1ウエールミスを繰り返して編成するコースを設けることにより、表目の張力が高くなりすぎないようしてカールの発生を抑制しながら、適度な締め付け力を保持することができ、さらに、非弾性糸（ウーリーナイロン２２）を用いてニットのみからなるプレーン編組織で編成するコースを設けることにより、表目の張力が高まっても、前記ニットのみからなるコースは伸縮力の弱い編み糸２２で編成されるため、外側へのカールの発生を抑制しながら、適度な締め付け力も保持することができる。
【００５３】
図６は第２実施形態を示す。
第１実施形態との相違点は、履き口部１１の編組織を変えた点である。
編み始めの止め編み領域１１ａは、１３３デシテックスのポリウレタン弾性芯糸に３３デシテックスのナイロン糸を巻きつけたシングルカバリングヤーン２４からなる第１種編み糸を用いている。該シングルカバリングヤーン２４を給糸口から連続供給して第１コースＣ１から第８コースＣ８までの８コースを編成している。
止め編み領域１１ａの各コースは、１ウエールタック→３ウエールミス→１ウエールタック→３ウエールミスを繰り返している。
【００５４】
詳細には、第１コースＣ１は図６に示すように、第１列目の針２０−１にタック△、第２、第３、第４列目の針２０−２、２０−３、２０−４はミス×、第５列目の針２０−５にタック△、第６、第７、第８列目の針２０−６、２０−７、２０−８はミス×というように１ウエールタック、３ウエールミスを繰り返し、第２コースＣ２〜第８コースＣ８もＣ３と同様に１ウエールタック、３ウエールミスを繰り返している。
【００５５】
止め編み領域１１ａに連続するウエルト編み領域１１ｂのコースＣ９、Ｃ１３では、１３３デシテックスのポリウレタン弾性芯糸に３３デシテックスのナイロン糸を巻きつけたシングルカバリングヤーン２４からなる伸縮力の強い第１種編み糸を１つの給糸口から供給して１ウエールタック→３ウエールミス→１ウエールタック→３ウエールミスを繰り返している。
【００５６】
ウエルト編み領域１１ｂの他のコースＣ１０、Ｃ１１、Ｃ１２、Ｃ１４、Ｃ１５、Ｃ１６では２０デシテックスのポリウレタン弾性芯糸に３３デシテックスのナイロン糸を巻き付けたシングルカバリングヤーン２５からなる伸縮力の弱い第２種編み糸を他の給糸口から供給して全ての針でニットするコースを編成している。
【００５７】
詳細には、図６に示すように、第９コースＣ９では第１列目の針２０−１はタック△、第２、第３、第４列目の針２０−２、２０−３、２０−４はミス×、第５列目の針２０−５はタック△、第６、第７、第８列目の針２０−６、２０−７、２０−８はミス×というように、１ウエールタック、３ウエールミスをシングルカバリングヤーン２４で繰り返している。
次に、第１０コースＣ１０、第１１コースＣ１１および第１２コースＣ１２ではすべての針２０−１〜２０−ｎにニット○とし、前記伸縮力の弱いシングルカバリングヤーン２５で編成している。この連続した３コースの後に、Ｃ９と同一の１ウエールタックと３ウエールミスを繰り返す第１３コースＣ１３を介在させている。この後さらに、ニットのみからなる３コース、１ウエールタックと３ウエールミスを繰り返す１コースというパターンを繰り返している。
なお、ウエルト編み領域１１ｂの長さは所要長さとすることができるが、本実施形態においても第１実施形態と同様、３０コースとしている。
【００５８】
第２実施形態においても、シングルニットからなるシングルウエルトの端末編組織を有する履き口部１１を備えているので、履き口部１１をソフトで薄くすることができ、窮屈感を低減し外観にひびかないようにすることができる。また、第１実施形態同様に、履き口部１１の下側に、１０ｈＰａの着圧を有するサブバンド部１２を設けることにより、締め付け力がソフトな前記端末編組織を有する履き口部１１を備えたパンティストッキング１０のずり下がりを効果的に防止することができる。
【００５９】
また、前記のように、止め編み部分１１ａにおいて、１つのコースで１ウエールタック、３ウエールミスを繰り返して編成し、太いポリウレタン弾性芯糸を備えたシングルカバリングヤーンからなる伸縮力の強い第１種編み糸２４で編成することにより、外側へのカール発生を抑制することができ、また、適度な締め付け力を付与することもできる。
【００６０】
さらに、前記のように、ウエルト編み領域１１ｂでは、伸縮力の弱い第２種編み糸２５でニットのみからなるコースＣ１０、Ｃ１１、Ｃ１２の３コース連続して設けた後に、伸縮力の強い第１種編み糸２４で編成した１ウエールタック、３ウエールミスを繰り返すコースＣ１３を１コース設け、続いて、前記第２種編み糸２５でニットのみからなるコースを３コースＣ１４、Ｃ１５、Ｃ１６連続させ、以下、これを繰り返すことで、止め編み領域１１ａよりは低い締め付け力として身体への圧迫感を減少して装着感を向上させることができると共に、外側へのカール発生を効果的に抑制することができる。かつ、ウエルト編み領域１１ｂも止め編み領域１１ａと同様にシングルカバリングヤーンからなる第１種編み糸２４、第２種編み糸２５のみで編成しているため肌触りも良くすることができる。
【００６１】
図７は第３実施形態を示す。
第１実施形態との相違点は、履き口部１１とサブバンド部１２とからなるバンド部が着用時において腰骨位置にくるパンティストッキング３０とした点である。
本実施形態においては、履き口部１１やサブバンド部１２の編組織は第１実施形態と同様としたが、履き口部１１のウエルト編み領域１１ｂのコース数を３０コースとし、
履き口部１１の非伸長時における上下縦方向の長さを２．５ｃｍとしている。
【００６２】
第３実施形態のパンティストッキング３０においても、履き口部１１の下側に、１０ｈＰａの着圧を有するサブバンド部１２を設けることにより、締め付け力がソフトな前記端末編組織を有する履き口部１１を備えたパンティストッキング３０のずり下がりを効果的に防止することができる。
【００６３】
第４実施形態では、シングルニットからなるウエルト部分の編地を折り返してダブルウエルトの履き口部とした点以外は第１実施形態と同様の構成としている。ダブルウエルトの履き口部の非伸長時における上下縦方向の長さは０．５〜３ｃｍ（本実施形態においては１ｃｍ）とし、前記シングルニットからなるウエルト部分の編地の糸使いとしては、２０〜５０デシテックスのポリウレタン弾性芯糸に１０〜４０デシテックスのナイロン糸を巻き付けたシングルカバリングヤーン（本実施形態においては３３デシテックスのポリウレタン弾性芯糸に３３デシテックスのナイロン糸を巻き付けたシングルカバリングヤーン）と１０〜６０デシテックスのナイロン糸（本実施形態においては３３デシテックスのウーリーナイロン）の交編としている。しかし、前記のようなシングルカバリングヤーンとナイロン糸との交編のみならず、シングルカバリングヤーン同士の交編としてもよい。
【００６４】
前記のように、ダブルウエルトの履き口部とした場合でも、折り返すウエルト部分の編地をシングルニットとして薄地で締め付け力を弱めているため、窮屈感を低減し外観にひびかないようにすることができる。また、第１実施形態同様に、履き口部の下側に、１０ｈＰａの着圧を有するサブバンド部を設けることにより、締め付け力がソフトな前記端末編組織を有する履き口部を備えたパンティストッキングのずり下がりを効果的に防止することができる。
【００６５】
図８は第５実施形態を示す。
図８は、シングルニットからなるシングルウエルトの端末編組織を有する履き口部４１と、着圧が１０〜１２ｈＰａのサブバンド部４２と、本体部４３とからなるタイツ４０を示している。
【００６６】
図９は第６実施形態を示す。
図９は、シングルニットからなるシングルウエルトの端末編組織を有する履き口部５１と、着圧が１０〜１２ｈＰａのサブバンド部５２と、本体部５３とからなるショーツ５０を示している。
【００６７】
図１０は第７実施形態を示す。
図１０は、シングルニットからなるシングルウエルトの端末編組織を有する履き口部６１と、着圧が１０〜１２ｈＰａのサブバンド部６２と、本体部６３とからなるパンツ６０を示している。
【００６８】
図１１は第８実施形態を示す。
図１１は、シングルニットからなるシングルウエルトの端末編組織を有する履き口部７１と、着圧が１０〜１２ｈＰａのサブバンド部７２と、本体部７３とからなるガードル７０を示している。
【００６９】
図１２は第９実施形態を示す。
図１２は、シングルニットからなるシングルウエルトの端末編組織を有する履き口部８１と、着圧が１０〜１２ｈＰａのサブバンド部８２と、本体部８３とからなるストッキング８０を示している。
【００７０】
図１３は第１０実施形態を示す。
図１３は、シングルニットからなるシングルウエルトの端末編組織を有する履き口部９１と、着圧が１０〜１２ｈＰａのサブバンド部９２と、本体部９３とからなるスパッツ９０を示している。
【００７１】
図１４は第１１実施形態を示す。
図１４は、シングルニットからなるシングルウエルトの端末編組織を有する履き口部１０１と、着圧が１０〜１２ｈＰａのサブバンド部１０２と、本体部１０３とからなるソックス１００を示している。
【００７２】
前記のように、タイツ４０、ショーツ５０、パンツ６０、ガードル７０、ストッキング８０、スパッツ９０、ソックス１００においても、シングルニットからなるシングルウエルトの端末編組織を有する履き口部４１、５１、６１、７１、８１、９１、１０１を備えているので、履き口部をソフトで薄くすることができ、窮屈感を低減し外観にひびかないようにすることができる。また、着圧が１０〜１２ｈＰａのサブバンド部４２、５２、６２、７２、８２、９２、１０２を備えているため、ずり下がりも効果的に防止することができる。
【図面の簡単な説明】
【００７３】
【図１】第１実施形態におけるパンティストッキングの概略図である。
【図２】第１実施形態における履き口部の編組織の説明図である。
【図３】第１実施形態における履き口部の編組織を示す図面である。
【図４】第１実施形態におけるサブバンド部の編組織の説明図である。
【図５】第１実施形態におけるサブバンド部の編組織を示す図面である。
【図６】第２実施形態における履き口部の編組織の説明図である。
【図７】第３実施形態におけるパンティストッキングの概略図である。
【図８】第５実施形態におけるタイツの概略図である。
【図９】第６実施形態におけるショーツの概略図である。
【図１０】第７実施形態におけるパンツの概略図である。
【図１１】第８実施形態におけるガードルの概略図である。
【図１２】第９実施形態におけるストッキングの概略図である。
【図１３】第１０実施形態におけるスパッツの概略図である。
【図１４】第１１実施形態におけるソックスの概略図である。
【符号の説明】
【００７４】
１０、３０  パンティストッキング
１１、４１、５１、６１、７１、８１、９１、１０１  履き口部
１１ａ  止め編み領域
１１ｂ  ウエルト編み領域
１２、４２、５２、６２、７２、８２、９２、１０２  サブバンド部
１３  パンティ部
１４  レッグ部
２０−１〜２０−ｎ  針
２１、２３、２４、２５  シングルカバリングヤーン
２２  ウーリーナイロン
４０  タイツ
４３、５３、６３、７３、８３、９３、１０３  本体部
５０  ショーツ
６０  パンツ
７０  ガードル
８０  ストッキング
９０  スパッツ
１００  ソックス
【図１】
2008038263.tif 000003
【図２】
2008038263.tif 000004
【図３】
2008038263.tif 000005
【図４】
2008038263.tif 000006
【図５】
2008038263.tif 000007
【図６】
2008038263.tif 000008
【図７】
2008038263.tif 000009
【図８】
2008038263.tif 000010
【図９】
2008038263.tif 000011
【図１０】
2008038263.tif 000012
【図１１】
2008038263.tif 000013
【図１２】
2008038263.tif 000014
【図１３】
2008038263.tif 000015
【図１４】
2008038263.tif 000016